(57)【特許請求の範囲】
【請求項１】
定番の曲データが記憶された読出専用の光ディスク記憶手段と、配信センタからダウンロードされた新曲の曲データが記憶される読書可能なハードディスク記憶手段とを備え、
カラオケ曲がリクエストされたとき、このリクエストされた曲の曲データが前記光ディスク記憶手段またはハードディスク記憶手段のどちらに記憶されているかを検索し、検索された記憶手段から曲データを読み出して演奏を行うカラオケ装置において、
ハードディスク記憶手段にリカバー曲データ記憶エリアを設定し、
前記リクエストされた曲データが光ディスク記憶手段に記憶されており、且つこの曲データを光ディスク記憶手段から読み出すことができなかったとき、前記リカバー曲データ記憶エリアを検索し、このリカバー曲データ記憶エリアに前記曲データが記憶されていればその曲データを読み出して演奏を行い、
前記リカバー曲データ記憶エリアに前記曲データが記憶されていない場合には、前記配信センタからこの曲データをダウンロードして前記リカバー曲データ記憶エリアに書き込むことを特徴とするカラオケ装置の曲データ管理方法。
【請求項２】
定番の曲データが記憶された第１の記憶エリアと、配信センタからダウンロードされた新曲の曲データが記憶される第２の記憶エリアとを有するハードディスク記憶手段を備え、
カラオケ曲がリクエストされたとき、このリクエストされた曲の曲データが前記第１または第２の記憶エリアのどちらに記憶されているかを検索し、検索された記憶エリアから曲データを読み出して演奏を行うカラオケ装置において、
前記ハードディスク記憶手段にリカバー曲データ記憶エリアを設定し、
前記リクエストされた曲データを前記第１または第２の記憶エリアから読み出すことができなかったとき、前記リカバー曲データ記憶エリアを検索し、このリカバー曲データ記憶エリアに前記曲データが記憶されていればその曲データを読み出して演奏を行い、
前記リカバー曲データ記憶エリアに前記曲データが記憶されていない場合には、前記配信センタからこの曲データをダウンロードして前記リカバー曲データ記憶エリアに書き込むことを特徴とするカラオケ装置の曲データ管理方法。
【請求項３】
コンテンツが記憶された読出専用の光ディスク記憶手段からコンテンツを読み出して再生する装置において、
読書可能なハードディスク記憶手段と、
コンテンツの再生中に、光ディスク記憶手段からコンテンツを読み出せない箇所があったとき、前記ハードディスク記憶手段を検索し、このハードディスク記憶手段に前記読み出せない箇所のコンテンツが記憶されていれば、このコンテンツを読み出して再生を継続し、
前記ハードディスク記憶手段に、前記読み出せない箇所のコンテンツが記憶されていない場合には、オンラインでこの読み出せない箇所のコンテンツをダウンロードして前記ハードディスク記憶手段に書き込む制御手段と、
を備えたコンテンツ再生装置。
【請求項４】
前記制御手段は、コンテンツの再生中に、光ディスク記憶手段からコンテンツを読み出せない箇所があったとき、読み出せない箇所の一部コンテンツのみを前記ハードディスク記憶手段から読み出し、
前記ハードディスク記憶手段に前記読み出せない箇所の一部コンテンツが記憶されていない場合には、オンラインで読み出せない箇所の一部コンテンツのみをダウンロードして前記ハードディスク記憶手段に書き込む請求項３に記載のコンテンツ再生装置。
【請求項５】
前記制御手段は、前記ハードディスク記憶手段に前記読み出せない箇所の一部コンテンツが記憶されていない場合には、オンラインで前記光ディスク記憶手段がオリジナルであることの確認を受けた後に、読み出せない箇所の一部コンテンツのみをダウンロードして前記ハードディスク記憶手段に書き込む請求項４に記載のコンテンツ再生装置。
【発明の詳細な説明】
【０００１】
【発明の属する技術分野】
この発明は、ＣＤ−ＲＯＭやＤＶＤなどの読出専用のメディアで曲データが供給されるカラオケ装置の曲データ管理方法および上記読出専用のメディアでコンテンツが供給されるコンテンツ再生装置に関する。
【０００２】
【従来の技術】
現在普及している通信カラオケ装置は、電話回線で配信センタと通信し、カラオケ曲の曲データをダウンロードするものであるが、リクエストがある毎に配信センタと通信していたのでは、通信費がかさみ曲データのダウンロードに時間が掛かるため、定番のカラオケ曲の曲データはＣＤ−ＲＯＭやＤＶＤなどのディスクメディアに記録して予めカラオケ装置にセットしておくようになっている。そして、この定番カラオケ曲用のディスクメディアは、定期的に新しいものと交換される。
【０００３】
ディスクメディアには、数千〜数万曲の曲データが記録されているが、ディスクメディアを制作したとき、いずれかの曲データが壊れている場合がある。しかし、１曲ずつデータをチェックできないため、曲データが壊れていることは、その曲がリクエストされたとき初めて発見される。また、ディスクメディアと、カラオケ装置のメディアドライブとの相性が合わない場合があり、このような場合には、データに異常がなくても、特定の曲データが時々読み出せなくなる場合があった。
【０００４】
【発明が解決しようとする課題】
従来のカラオケ装置では、このようにディスクメディアから曲データが読み出せなかったとき、その曲は演奏不能であるとして、リクエストをキャンセルしなければならず、利用者のサービスの低下につながっていた。
【０００５】
一方、新曲の曲データを配信する配信センタは、定番カラオケ曲の曲データも記憶しており、カラオケ装置から要求があればいつでもそれを配信することができる。したがって、カラオケ装置は、上記読み出せない曲データを配信センタからダウンロードし、これをハードディスクに記憶して、ハードディスクの曲データとして登録しなおすことも可能である。しかし、従来のカラオケ装置をこのように動作させようとすれば、プログラムを大幅に改変しなければならず大変手間のかかるものであり、旧式のカラオケ装置では不可能なものもあった。
【０００６】
また、近年はハードディスクの大容量化に伴って定番曲もハードディスクに記憶するようにしたカラオケ装置が実用化されているが、このようなカラオケ装置でも、定番曲および新曲の数万曲の曲データが記憶されている記憶エリアを１曲の曲データのためにメンテナンスすることは面倒なことであった。
【０００７】
また、家庭用のＤＶＤプレーヤなどの再生装置では、再生用のディスクに傷がついた場合などは、その箇所でコンテンツを読み出すことができずに再生が途切れてしまい、このようなディスクは再生不能となってしまっていた。
【０００８】
この発明は、読出専用メディアに記録された曲データが読み出せない場合でも、配信センタからダウンロードしたデータでこの曲を演奏することができるカラオケ装置の曲データ管理方法、および、傷のついたディスクなど一部読出不可となったメディアでも再生が可能なコンテンツ再生装置を提供することを目的とする。
【０００９】
【課題を解決するための手段】
請求項１の発明は、定番の曲データが記憶された読出専用の光ディスク記憶手段と、配信センタからダウンロードされた新曲の曲データが記憶される読書可能なハードディスク記憶手段とを備え、
カラオケ曲がリクエストされたとき、このリクエストされた曲の曲データが前記光ディスク記憶手段またはハードディスク記憶手段のどちらに記憶されているかを検索し、検索された記憶手段から曲データを読み出して演奏を行うカラオケ装置において、
ハードディスク記憶手段にリカバー曲データ記憶エリアを設定し、
前記リクエストされた曲データが光ディスク記憶手段に記憶されており、且つこの曲データを光ディスク記憶手段から読み出すことができなかったとき、前記リカバー曲データ記憶エリアを検索し、このリカバー曲データ記憶エリアに前記曲データが記憶されていればその曲データを読み出して演奏を行い、
前記リカバー曲データ記憶エリアに前記曲データが記憶されていない場合には、前記配信センタからこの曲データをダウンロードして前記リカバー曲データ記憶エリアに書き込むことを特徴とする。
請求項２の発明は、定番の曲データが記憶された第１の記憶エリアと、配信センタからダウンロードされた新曲の曲データが記憶される第２の記憶エリアとを有するハードディスク記憶手段を備え、
カラオケ曲がリクエストされたとき、このリクエストされた曲の曲データが前記第１または第２の記憶エリアのどちらに記憶されているかを検索し、検索された記憶エリアから曲データを読み出して演奏を行うカラオケ装置において、
前記ハードディスク記憶手段にリカバー曲データ記憶エリアを設定し、
前記リクエストされた曲データを前記第１または第２の記憶エリアから読み出すことができなかったとき、前記リカバー曲データ記憶エリアを検索し、このリカバー曲データ記憶エリアに前記曲データが記憶されていればその曲データを読み出して演奏を行い、
前記リカバー曲データ記憶エリアに前記曲データが記憶されていない場合には、前記配信センタからこの曲データをダウンロードして前記リカバー曲データ記憶エリアに書き込むことを特徴とする。
【００１０】
請求項３の発明は、コンテンツが記憶された読出専用の光ディスク記憶手段からコンテンツを読み出して再生する装置において、
読書可能なハードディスク記憶手段と、
コンテンツの再生中に、光ディスク記憶手段からコンテンツを読み出せない箇所があったとき、前記ハードディスク記憶手段を検索し、このハードディスク記憶手段に前記読み出せない箇所のコンテンツが記憶されていれば、このコンテンツを読み出して再生を継続し、
前記ハードディスク記憶手段に、前記読み出せない箇所のコンテンツが記憶されていない場合には、オンラインでこの読み出せない箇所のコンテンツをダウンロードして前記ハードディスク記憶手段に書き込む制御手段と、
を備えたことを特徴とする。
(これにより、利用者は、データのリカバーによりリクエスト曲の演奏ができないことを把握でき、データのリカバーが完了するとリクエスト曲を歌うことができます。)
請求項４に記載の発明は、前記制御手段は、コンテンツの再生中に、光ディスク記憶手段からコンテンツを読み出せない箇所があったとき、読み出せない箇所の一部コンテンツのみを前記ハードディスク記憶手段から読み出し、
前記ハードディスク記憶手段に前記読み出せない箇所の一部コンテンツが記憶されていない場合には、オンラインで読み出せない箇所の一部コンテンツのみをダウンロードして前記ハードディスク記憶手段に書き込むことを特徴とする。
請求項５に記載の発明は、前記制御手段は、前記ハードディスク記憶手段に前記読み出せない箇所の一部コンテンツが記憶されていない場合には、オンラインで、前記光ディスク記憶手段がオリジナルであることの確認を受けた後に、読み出せない箇所の一部コンテンツのみをダウンロードして前記ハードディスク記憶手段に書き込むことを特徴とする。
【００１１】
一般的なカラオケ装置では、定番曲はＣＤ−ＲＯＭやＤＶＤなどの光ディスク（光ディスク記憶手段）で配付され、新曲は配信センタから通信でダウンロードされ、ハードディスクなど（ハードディスク記憶手段）に記憶される。したがって、カラオケ曲のリクエストがあったとき、その曲が第１の記憶手段、第２の記憶手段のどちらに記憶されているかを検索し、検索された側の記憶手段から曲データを読み出してカラオケ曲を演奏するのが上記一般的なカラオケ装置の動作である。
ところが、上述したように読出専用メディアである光ディスク記憶手段には、多数の曲データが記憶されているため、製造時に全ての曲データの良否をチェックすることができず、なかにはデータが壊れているものがある。このことは、この曲がリクエストされて始めて分かり、従来はデータが壊れていることからこの曲を演奏することができずに利用者のサービス低下につながっていた。
新曲を配信するための配信センタは、定番曲の曲データも記憶しており、カラオケ装置が配信センタをアクセスして上記壊れていた曲データをダウンロードし、この曲をハードディスク記憶手段に記憶されている曲として登録しなおすことも可能であるが、このような大幅な機能の改変は大変手間のかかることであり、古いタイプのカラオケ装置では不可能な場合があった。
【００１２】
これに対して、この発明では、従来どおり光ディスク記憶手段から曲データを読み出し、曲データが読み出せなかったとき、ハードディスク記憶手段のリカバー曲データ記憶エリアを検索するリカバー処理動作を実行するようにしたことにより、従来のカラオケ装置に従来どおりの動作をさせ、曲データが読み出せなかったときの演奏不可動作に代えて、上記リカバー処理動作を行わせるのみで、上記読み出せなかった曲の演奏が可能になる。
また、この発明では、従来どおり第１または第２の記憶エリアから曲データを読み出し、曲データが読み出せなかったとき、リカバー曲データ記憶エリアを検索するリカバー処理動作を実行するようにしたことにより、従来のカラオケ装置に従来どおりの動作をさせ、曲データが読み出せなかったときの演奏不可動作に代えて、上記リカバー処理動作を行わせるのみで、上記読み出せなかった曲の演奏が可能になる。
【００１３】
また、カラオケ曲の曲データ以外の映画などのコンテンツの場合であっても、ＤＶＤなどの読出専用の光ディスク記憶手段からコンテンツを読み出して再生しているとき、コンテンツが読み出せない箇所があれば、この読み出せない箇所の一部コンテンツのみをハードディスクなどのハードディスク記憶手段から読み出して再生を継続することができる。ハードディスク記憶手段に記憶する一部コンテンツは、たとえばサービスセンタからオンラインでダウンロードすればよい。これにより、傷などがついて一部が読めなくなったＤＶＤやＣＤであっても、これがオリジナルであることをサービスセンタが確認して、傷が付いている箇所のみダウンロードを許可し、ディスクメディアの保証を強化することができる。
【００１４】
【発明の実施の形態】
図１はこの発明の実施形態であるカラオケ装置のブロック図である。図２は同カラオケ装置のシステムハードディスクの記憶内容を説明する図である。このカラオケ装置では、システムハードディスク１７およびＤＶＤドライブ７にセットされるＤＶＤ８に曲データを記憶している。ＤＶＤ８に記憶されている曲データは定番曲の曲データであり、システムハードディスク１７には新曲の曲データが配信センタ９から定期的にダウンロードされる。また、ＤＶＤ８に記憶されている曲であるが、ＤＶＤ８の不良等の原因により読み出しができなかった曲データが、リカバー曲データとして配信センタ９からダウンロードされてシステムハードディスク１７に記憶される。
【００１５】
図２（Ａ）に示すように、システムハードディスク１７には、このカラオケ装置の動作を制御するシステムプログラムやカラオケ演奏プログラムを記憶するプログラム記憶エリア１７０、オンライン配信で供給された（新曲の）曲データを記憶するＨＤＤ曲データ記憶エリア１７１が設定されているとともに、上記リカバー曲の曲データを記憶するリカバー曲データ記憶エリア１７５が設定されており、ＤＶＤ８を含む各エリアに記憶されている曲データを管理するための、ＤＶＤ曲管理テーブル１７２、ＨＤＤ曲管理テーブル１７３、リカバー曲管理テーブル１７６が設定されている。
【００１６】
システムハードディスク１７には、このほか、演奏ログファイルやエラーログファイルなどが記憶される。また、各曲データは、楽音を発生するための演奏データ、バックコーラスをＰＣＭ化したバックコーラスデータ、歌詞テロップを表示するための歌詞データなどを含んでいる。また、曲データによるカラオケ曲の演奏と並行してモニタ３に表示される背景映像は、背景映像用ハードディスク１８に記憶されている。
【００１７】
図１において、カラオケ装置の動作を制御するＣＰＵ１０には内部バスを介してＲＯＭ１１、ＲＡＭ１２、リモコン受信部１３、パネル上のディスプレイ１４、パネルスイッチ１５、システムハードディスク１７、背景映像用ハードディスク１８、通信制御部２０、デコーダ２１、表示制御部２３、楽音発生部２４、オーディオ回路２５が接続されている。
【００１８】
ＲＯＭ１１には、このカラオケ装置を起動するためのブートプログラムなどが記憶されている。ブートプログラムはシステムハードディスク１７をアクセスしてシステムプログラムを読み出し、装置を起動するプログラムである。ＣＰＵ１０は、このブートプログラムに基づき、システムプログラム・カラオケ演奏実行プログラムが記憶されているシステムハードディスク１７にアクセスする。
【００１９】
通信制御部２０はモデムやターミナルアダプタを有し電話回線を介して配信センタ９と通信する装置である。配信センタ９は、定期的にカラオケ装置に対して電話を掛け、新曲の曲データなどを配信する。配信されてきた新曲の曲データはシステムハードディスク１７のＨＤＤ曲データ記憶エリア１７１に書き込まれる。また、ＤＶＤ８に記憶されている曲データが読み出せなかった場合、カラオケ装置は配信センタ９に電話を掛けてこの曲データの配信を要求し、上記新曲の曲データの配信とは別にこの読み出せなかった曲の曲データをダウンロードする。この曲データはリカバー曲データ記憶エリア１７５に記憶される。新曲の曲データ、リカバー曲の曲データなど曲データがダウンロードされるごとにその曲データに対応する管理テーブルを更新する。また、定期的な新曲の曲データの配信に合わせて、この装置の演奏ログファイルおよびエラーログファイルが配信センタ９にアップロードされる。
【００２０】
リモコン装置５は、テンキーなどのキースイッチを備えており、利用者のスイッチ操作に応じた曲番号などの信号を赤外線信号として出力する。リモコン受信部１３は、リモコン装置５から送られてくる赤外線信号を受信して曲番号などのデータを復元してＣＰＵ１０に入力する。ＣＰＵ１０は、リモコン装置５から入力された曲番号でリクエストインデックスファイルおよび台帳を検索して曲データを読み出しカラオケ曲の演奏を実行する。
【００２１】
ディスプレイ１４は、リモコン装置５から入力された曲番号や予約曲数などを表示する。パネルスイッチ１５は上記リモコン装置５と同様のキースイッチを備えており、曲の予約やキーコントロール、テンポコントロールなどをすることができる。
【００２２】
楽音発生部２４は、曲データの演奏データに基づいて電子的に楽音信号を合成する音源装置およびバックコーラスの波形データをデコードして音声信号を復調するデコーダを備え、楽器の楽音やバックコーラスなどのカラオケ演奏音を発生する。発生したカラオケ演奏音はオーディオ回路２５に入力される。オーディオ回路は、マイク４から入力された歌唱者の歌唱音声信号とこのカラオケ演奏音とをミキシングしてスピーカ２から出力する。表示制御部２３は、ＣＰＵ１０から入力される歌詞テロップなどの内部映像およびデコーダ２１から入力される背景映像を合成してモニタ３に出力する。
【００２３】
図３のフローチャートを参照してこのカラオケ装置の動作について説明する。リモコン装置５などから曲番号が入力され、カラオケ曲がリクエストされると（ｓ１）、ＨＤＤ曲管理ファイルおよびＤＶＤ曲管理ファイルを検索して、その曲データがＨＤＤ曲であるかＤＶＤ曲であるかを判断する（ｓ２，ｓ３）。ＨＤＤ曲であれば、システムハードディスク１７のＨＤＤ曲記憶エリア１７１からこの曲データを読み出して（ｓ４）、カラオケ曲の演奏を実行する（ｓ７）。
【００２４】
また、ＤＶＤ曲であった場合にはＤＶＤドライブ７をアクセスしてＤＶＤ８からその曲の曲データを読み出す（ｓ５）。正常に読み出しが終了した場合には（ｓ６）、この曲データを用いてカラオケ曲の演奏を実行する（ｓ７）。一方、ＤＶＤ８の不良やＤＶＤ８とＤＶＤドライブ７との相性で曲データの読み出しが正常に行われなかった場合には、以下のリカバー処理動作を実行する。まず、リカバー曲管理テーブル１７６を検索する（ｓ８）。リカバー曲管理テーブル１７６にリクエストされた曲の曲番号が登録されていた場合、その曲データがリカバー曲記憶エリア１７５に記憶されているということであるため、システムハードディスク１７のリカバー曲記憶エリア１７５をアクセスしてその曲データを読み出し（ｓ４）、その曲データを用いてカラオケ曲の演奏を実行する（ｓ７）。
【００２５】
ＤＶＤ８から読み出せなかった曲データがリカバー曲データとしても登録されていなかった場合には、利用者に対して異常対応処理（ｓ１０）を行い、配信センタ９と通信して（ｓ１１）、読み出せなかった曲データのダウンロードを要求する（ｓ１２）。配信センタ９はこれに対応してこの読み出せなかった曲の曲データをダウンロードしてくるため、これを受信してリカバー曲記憶エリア１７５にこれを記憶し、（ｓ１３）、リカバー曲管理テーブル１７６を更新したのち（ｓ１４）、ｓ１にもどる。
【００２６】
ここで、ｓ１０の異常対応処理は、利用者に対してこの曲が現在演奏できない状態であることを告知するとともに、このリクエストをキャンセルする処理である。また、配信センタ９から曲データがダウンロードされたときこの曲のリクエストを（最上位または最下位の予約として）復活させるようにしてもよい。
【００２７】
このように、このカラオケ装置では、従来の演奏処理プログラムにリカバー処理（ｓ８〜ｓ１４）を付加することで、ＤＶＤなどディスクメディアから読み出せなかった曲を演奏することができるようになる。既にリカバーされている場合には、利用者にそのことを気づかせることがない。
【００２８】
なお、ｓ１１〜ｓ１４で行う曲データのダウンロードは即座に行う必要はなく、カラオケ曲の演奏とは別の処理動作としてカラオケ装置が休止しているときに行うようにしてもよい。
【００２９】
また、配信センタ９は、多数の端末装置（カラオケ装置）を管理しており、その管理下のカラオケ装置からｓ１１〜ｓ１４のようなアクセスがあったり、また、各カラオケ装置から定期的にアップロードされるエラーログの内容などから、各カラオケ装置に配付しているＤＶＤ８のどの曲データが不良であるかを割り出すことができる。すなわち、複数のカラオケ装置で同じ曲データが読み出せないというエラーが発生している場合には、ＤＶＤ８のその曲データが壊れていると判断することができる。このような場合、定期的な新曲のダウンロードに合わせて、この読み出しのエラーが発生している曲データをリカバー曲データとして予めダウンロードしておくようにすればよい。こうすることで、その曲が始めてリクエストされた場合でも、ｓ９からｓ４に進んで通常どおりその曲を演奏することが可能になる。
【００３０】
この実施形態では、定番曲をＤＶＤに記憶している装置について説明したが、図２（Ｂ）に示すように定番曲もハードディスクに記憶している装置についても定番曲データ記憶エリア、新曲データ記憶エリアを改変することなく、壊れた曲データのみをリカバー曲データ記憶エリアに書き込むことで、従来の処理動作にリカバー処理動作を付加するのみで曲データの壊れたカラオケ曲の演奏が可能になる。
【００３１】
また、この実施形態では、カラオケ装置およびその曲データのリカバーについて説明したが、この発明はカラオケ装置に限定されるものではない。たとえば、民生用のＤＶＤプレーヤでＤＶＤにキズなどのデータ欠損があった場合に、その箇所だけをオンラインでサービスセンタからダウンロードし、再生中にその箇所が到来したときは、その箇所だけハードディスクから再生するようにしてもよい。
【００３２】
【発明の効果】
以上のようにこの発明によれば、従来のカラオケ装置の処理手順にリカバー処理動作を付加するのみでＤＶＤやＣＤ−ＲＯＭなどの読出専用の記憶手段に記憶されていて壊れている曲データの演奏が可能になる。
【００３３】
また、この発明によれば、ＤＶＤなどの読出専用の記憶手段から映画などのコンテンツを再生しているとき、コンテンツが壊れている箇所があっても、この箇所のみハードディスクなどの別の記憶手段から読み出して再生を継続することができ、読出専用メディアの保証を強化することができる。
【図面の簡単な説明】
【図１】この発明の実施形態であるカラオケ装置のブロック図
【図２】同カラオケ装置のシステムハードディスクの記憶内容を説明する図
【図３】同カラオケ装置の動作を示すフローチャート
【符号の説明】
１…カラオケ装置本体、７…ＤＶＤドライブ、８…（曲データを記憶した）ＤＶＤ、１０…ＣＰＵ、１６…インタフェース、１７…システムハードディスク
１７１…ＨＤＤ曲データ記憶エリア、１７２…ＤＶＤ曲データ管理テーブル、１７３…ＨＤＤ曲データ管理テーブル、１７５…リカバー曲データ記憶エリア、１７６…リカバー曲データ管理テーブル
【図１】
0004103358.tif 000002
【図２】
0004103358.tif 000003
【図３】
0004103358.tif 000004